(57)【要約】【課題】ディスプレイの映像調整方法の提供。【解決手段】ディスプレイの映像調整方法は、先ずディスプレイの映像をスキャンして輝度不均衡の座標位置を取得し、次にディスプレイの輝度不均衡の座標位置の色トーン色度値を測り、閾値に基づき色補正値対応表を作成し、輝度不均衡の座標位置と色補正値対応表に基づき、ディスプレイの映像輝度を調整してディスプレイの画面の輝度を平均化する。【選択図】図１
2008139821.tif 000002
【特許請求の範囲】
【請求項１】
ディスプレイの表示パネルにおける固定エリアの輝度不均衡を調整するディスプレイの映像調整方法は、
ディスプレイの映像のスキャンにおいて、輝度不均衡の座標位置を取得するステップと、ディスプレイの座標位置計測において、色トーン色度値を発して閾値に基づき色補正対応表を作成するステップと、座標位置と色補正値対応表に基づき、ディスプレイの輝度を調整するステップを含むことを特徴とするディスプレイの映像調整方法。
【請求項２】
請求項１記載のディスプレイの映像調整方法において、前記ディスプレイの座標位置計測において色トーン色度値を発して閾値に基づき色補正対応表を作成するステップは、光学計測器でディスプレイの座標位置を計測することを特徴とするディスプレイの映像調整方法。
【請求項３】
請求項１記載のディスプレイの映像調整方法において、前記色トーン色度値と閾値は、その差値で色補正値対応表を作成することを特徴とするディスプレイの映像調整方法。
【請求項４】
請求項１記載のディスプレイの映像調整方法において、前記色トーン色度値は、閾値まで調整して色補正値対応表を作成することを特徴とするディスプレイの映像調整方法。
【請求項５】
請求項１記載のディスプレイの映像調整方法において、前記ディスプレイの映像のスキャンにおいて、輝度不均衡の座標位置を取得するステップは、その前にディスプレイの映像を単一色彩として表示することを更に含むことを特徴とするディスプレイの映像調整方法。
【請求項６】
請求項１記載のディスプレイの映像調整方法において、前記ディスプレイの映像のスキャンにおいて、輝度不均衡の座標位置を取得するステップは、第一撮像素子の輝度と第二撮像素子の輝度を比較して比較値を発し、更にその比較値が参考値より大きい場合、第一撮像素子と第二撮像素子の輝度の座標位置を保存することを更に含むことを特徴とするディスプレイの映像調整方法。
【請求項７】
請求項１記載のディスプレイの映像調整方法において、前記ディスプレイの映像調整方法は、ＣＣＤを使用してディスプレイの映像をスキャンし、この座標位置を取得することを特徴とするディスプレイの映像調整方法。
【請求項８】
請求項１記載のディスプレイの映像調整方法において、前記ディスプレイの映像調整方法は、ディスプレイの映像をスキャンし、輝度不均衡の座標位置を取得して位置対照表を作成することを特徴とするディスプレイの映像調整方法。
【請求項９】
請求項１記載のディスプレイの映像調整方法において、前記ディスプレイの映像調整方法は、ディスプレイの輝度均衡の座標位置を測り、閾値を発するステップを更に含むことを特徴とするディスプレイの映像調整方法。
【請求項１０】
請求項１記載のディスプレイの映像調整方法において、前記閾値は、色トーン色度値とすることを特徴とするディスプレイの映像調整方法。
【請求項１１】
請求項１記載のディスプレイの映像調整方法において、前記ディスプレイは、液晶ディスプレイに応用することを特徴とするディスプレイの映像調整方法。
【請求項１２】
請求項１１記載のディスプレイの映像調整方法において、前記ディスプレイの映像調整方法は、輝度不均衡の座標位置と色補正値対応表に基づき、液晶ディスプレイの液晶回転角度の方式を制御し、液晶ディスプレイの映像輝度を調整することを特徴とするディスプレイの映像調整方法。
【請求項１３】
請求項１記載のディスプレイの映像調整方法において、前記各表示パネルは、固定エリアに輝度不均衡現象があることを特徴とするディスプレイの映像調整方法。
【請求項１４】
請求項１１記載のディスプレイの映像調整方法において、前記ディスプレイの映像調整方法は、輝度不均衡の座標位置と色補正値対応表に基づき、液晶ディスプレイの光源を制御し、液晶ディスプレイの映像輝度を調整することを特徴とするディスプレイの映像調整方法。
【請求項１５】
請求項１４記載のディスプレイの映像調整方法において、前記光源は、冷陰極蛍光ランプとすることを特徴とするディスプレイの映像調整方法。
【請求項１６】
請求項１４記載のディスプレイの映像調整方法において、前記光源は、発光ダイオードとすることを特徴とするディスプレイの映像調整方法。
【発明の詳細な説明】
【技術分野】
【０００１】
本発明は、映像調整方法のうち、特にディスプレイの映像調整方法に関するものである。
【背景技術】
【０００２】
今日、科学技術の発展は目覚しく、電子商品の種類は絶え間なく新しくなり、ユーザーの異なる要求を満足させる。初期のディスプレイは殆どが陰極線管(Cathode Ray Tube,CRT)ディスプレイであり、その体積は大きく、電気消費量も大きい上に、放射線が発生するため長時間モニターに向かうユーザーは健康を損ねるとの危惧があった。そのため、現在市場のディスプレイは旧型のＣＲＴディスプレイから徐々に液晶ディスプレイ(Liquid Crystal Display、ＬＣＤ)へと取って代わりつつある。液晶ディスプレイは軽薄短小を特徴とし、低放射と電気消費量も低いことを長所としているため、現在市場の主流となっている。
【０００３】
一般のディスプレイを出庫する場合、品質検査を通過しなければならない。ディスプレイの品質を管理することにより、ディスプレイを自動化生産した時に各種の要素によってディスプレイに発生する様々な問題、例としてディスプレイ画面の輝度不均衡等を発見する。そのため、生産ラインに於いて人の手による検査をする必要がある。もしもディスプレイの部品材質が異なることによってディスプレイの画面に輝度不均衡現象が現れた場合、品質管理者がディスプレイ画面の輝度不均衡を調整する。
【０００４】
更にディスプレイのパネル製造工程に於ける問題は、各ディスプレイの表示パネルの画面輝度不均衡状況は、すべてディスプレイのパネルの固定エリアにおいて発生しやすい。そのため、生産ラインにおいて、品質管理者がディスプレイ一台ずつ調整を行わなければならず、人件コストが高くなり、また生産ラインのスピードにも影響を与える。
【０００５】
ディスプレイの画面の固定エリアに於ける輝度不均衡現象の調整の際にかかるコスト及び生産ラインのスピードを改善しなければならない点である。
【発明の開示】
【発明が解決しようとする課題】
【０００６】
位置対照表と色補正値対応表をスキャンしてディスプレイの映像輝度を調整することにより、ディスプレイの画面の輝度を平均化することを本発明の目的の一つとしてディスプレイの映像調整方法を提供する。
【０００７】
位置対照表と色補正値対応表をスキャンしてディスプレイの映像輝度を調整し、人件コストを下げ、生産ラインの速度を高めることを目的の一つとしてディスプレイの映像調整方法を提供する。
【０００８】
本発明のディスプレイの映像調整方法は、先ずディスプレイの映像をスキャンして輝度不均衡の一座標位置を取得し、続いてディスプレイの輝度不均衡の座標位置の色トーン色度値を測り、閾値に基づき色補正値対応表を作成し、次に輝度不均衡の座標位置範囲と色補正値対応表に基づき、ディスプレイの映像を調整する。
【課題を解決するための手段】
【０００９】
請求項１の発明は、ディスプレイの表示パネルにおける固定エリアの輝度不均衡を調整するディスプレイの映像調整方法は、
ディスプレイの映像のスキャンにおいて、輝度不均衡の座標位置を取得するステップと、ディスプレイの座標位置計測において、色トーン色度値を発して閾値に基づき色補正対応表を作成するステップと、座標位置と色補正値対応表に基づき、ディスプレイの輝度を調整するステップを含むことを特徴とするディスプレイの映像調整方法としている。
請求項２の発明は、請求項１記載のディスプレイの映像調整方法において、前記ディスプレイの座標位置計測において色トーン色度値を発して閾値に基づき色補正対応表を作成するステップは、光学計測器でディスプレイの座標位置を計測することを特徴とするディスプレイの映像調整方法としている。
請求項３の発明は、請求項１記載のディスプレイの映像調整方法において、前記色トーン色度値と閾値は、その差値で色補正値対応表を作成することを特徴とするディスプレイの映像調整方法としている。
請求項４の発明は、請求項１記載のディスプレイの映像調整方法において、前記色トーン色度値は、閾値まで調整して色補正値対応表を作成することを特徴とするディスプレイの映像調整方法としている。
請求項５の発明は、請求項１記載のディスプレイの映像調整方法において、前記ディスプレイの映像のスキャンにおいて、輝度不均衡の座標位置を取得するステップは、その前にディスプレイの映像を単一色彩として表示することを更に含むことを特徴とするディスプレイの映像調整方法としている。
請求項６の発明は、請求項１記載のディスプレイの映像調整方法において、前記ディスプレイの映像のスキャンにおいて、輝度不均衡の座標位置を取得するステップは、第一撮像素子の輝度と第二撮像素子の輝度を比較して比較値を発し、更にその比較値が参考値より大きい場合、第一撮像素子と第二撮像素子の輝度の座標位置を保存することを更に含むことを特徴とするディスプレイの映像調整方法としている。
請求項７の発明は、請求項１記載のディスプレイの映像調整方法において、前記ディスプレイの映像調整方法は、ＣＣＤを使用してディスプレイの映像をスキャンし、この座標位置を取得することを特徴とするディスプレイの映像調整方法としている。
請求項８の発明は、請求項１記載のディスプレイの映像調整方法において、前記ディスプレイの映像調整方法は、ディスプレイの映像をスキャンし、輝度不均衡の座標位置を取得して位置対照表を作成することを特徴とするディスプレイの映像調整方法としている。
【００１０】
請求項９の発明は、請求項１記載のディスプレイの映像調整方法において、前記ディスプレイの映像調整方法は、ディスプレイの輝度均衡の座標位置を測り、閾値を発するステップを更に含むことを特徴とするディスプレイの映像調整方法としている。
請求項１０の発明は、請求項１記載のディスプレイの映像調整方法において、前記閾値は、色トーン色度値とすることを特徴とするディスプレイの映像調整方法としている。
請求項１１の発明は、請求項１記載のディスプレイの映像調整方法において、前記ディスプレイは、液晶ディスプレイに応用することを特徴とするディスプレイの映像調整方法としている。
請求項１２の発明は、請求項１１記載のディスプレイの映像調整方法において、前記ディスプレイの映像調整方法は、輝度不均衡の座標位置と色補正値対応表に基づき、液晶ディスプレイの液晶回転角度の方式を制御し、液晶ディスプレイの映像輝度を調整することを特徴とするディスプレイの映像調整方法としている。
請求項１３の発明は、請求項１記載のディスプレイの映像調整方法において、前記各表示パネルは、固定エリアに輝度不均衡現象があることを特徴とするディスプレイの映像調整方法としている。
請求項１４の発明は、請求項１１記載のディスプレイの映像調整方法において、前記ディスプレイの映像調整方法は、輝度不均衡の座標位置と色補正値対応表に基づき、液晶ディスプレイの光源を制御し、液晶ディスプレイの映像輝度を調整することを特徴とするディスプレイの映像調整方法としている。
請求項１５の発明は、請求項１４記載のディスプレイの映像調整方法において、前記光源は、冷陰極蛍光ランプとすることを特徴とするディスプレイの映像調整方法としている。
請求項１６の発明は、請求項１４記載のディスプレイの映像調整方法において、前記光源は、発光ダイオードとすることを特徴とするディスプレイの映像調整方法としている。
【発明の効果】
【００１１】
本発明のディスプレイの映像調整方法は、人件コストを下げ、生産ラインのスピードを高めるという利点がある。
【発明を実施するための最良の形態】
【００１２】
本発明のディスプレイの映像調整方法は、液晶ディスプレイを例とするが、これは液晶ディスプレイに応用されるだけではなく、一実施例に過ぎない。
図１は、本発明の一実施例のフローチャートである。図に示すとおり、先ず、ステップＳ１０を実行し、ディスプレイの映像をスキャンして輝度不均衡の座標位置を取得する。即ちディスプレイが単一色彩を表示した時、ディスプレイの映像をスキャンすることによって輝度不均衡の座標位置範囲を知り、位置対照表を作成し、特定用途向け集積回路(Application Specific Integrated Circuit,ASIC)を書き込む。上述において、ディスプレイの映像をスキャンして輝度不均衡の座標位置を取得する方法は、ディスプレイの映像をスキャンすると同時に第一撮像素子の輝度と、第二撮像素子の輝度を比較して比較値を出し、その比較値が一参考値を超えた場合、二撮像素子の輝度が不均衡であることを表す。第一撮像素子と第二撮像素子の輝度の位置を保存して位置対照表を作成するか、もしくはＣＣＤ(charge couple device)を用いてディスプレイの映像をスキャンし、ディスプレイの輝度不均衡の座標位置を取得する。上述に述べたディスプレイの輝度不均衡の座標位置をスキャンする方法は、数種のスキャン方法の内の一つであり、上述の方法に限らない。更に各ディスプレイの表示パネルに発生する輝度不均衡の現象は、すべて固定エリアに発生するため、各異なるディスプレイの表示パネルに於いて、ディスプレイの映像をスキャンし、輝度不均衡の座標位置を取得すればよいので、各ディスプレイをスキャンする時間の浪費、コストの増加を防止する。
【００１３】
続いてステップＳ１２を実行してディスプレイの輝度不均衡の座標位置を測り、色トーン色度値を作成し、閾値に基づいて、色補正値対応表を作成する。そのうち光学測量器を使用して光学測量方式に基づきディスプレイの輝度不均衡の座標位置と輝度均衡の座標位置を計測し、それぞれ色トーン色度値と閾値を作成する。そのうち、閾値は正常色彩を表示できる正常な色トーン色度値とし、閾値に基づいて再度色トーン色度値を設定してディスプレイの輝度を均衡にし、色補正値対応表を作成する。これは不均衡な色トーン色度値の色彩と、閾値の色彩が異なるとも言え、そのため色トーン色度値を再度設定する必要があり、輝度不均衡な色彩と正常な色彩を同じにし、色補正値対応表を作成する。色補正値対応表の作成は、色トーン色度値と閾値の差値に基づいて作成されるか、もしくは色トーン色度値から閾値まで相互に調整して色補正値対応表を作成する。即ち元のディスプレイの映像の色トーン色度値と再度定義した色トーン色度値を記録し、色補正値を特定用途向け集積回路（ＡＳＩＣ）に書き込む。続いてステップＳ１４を実行し、輝度不均衡の座標位置範囲と色補正値対応表に基づき、ディスプレイの映像の輝度を調整する。即ち位置対照表と色補正値対応表を特定用途向け集積回路（ＡＳＩＣ）に書き込み、ディスプレイの映像の輝度を制御する。
【００１４】
更に特定用途向け集積回路（ＡＳＩＣ）は、位置対照表と色補正値対応表に基づき、液晶ディスプレイの駆動チップを制御して液晶の回転角度を調整し、ディスプレイの映像輝度均一にすることを目的とする。もしくは制御したライト管（ＣＣＦＬ）もしくは発光ダイオード（ＬＥＤ）の輝度不均衡が液晶ディスプレイの映像輝度均一にすることを目的とする。
【００１５】
図２に示すのは、一実施例のブロックダイアグラムである。図に示すとおり、ディスプレイは、メモリーユニット１０、特定用途向け集積回路（ＡＳＩＣ）１２、映像インターフェイス回路１４、クロック発振器１８、水平駆動回路２０、垂直駆動回路３０を含み、すべてガラス基板（図未提示）、即ち表示パネルに設置する。水平駆動回路２０と垂直駆動回路３０はどちらも表示パネルの表示エリア４０に連接する。本発明の位置対照表と色補正値対応表は特定用途向け集積回路（ＡＳＩＣ）に書き込み、メモリーユニット１０は、保存静態の図片ファイルデータ、例としてraw,bmpもしくはjpg等を用いる。このメモリーユニット１０はSramもしくはFlashとする。
【００１６】
映像インターフェイス回路１４は、メモリーユニットの静態映像データを受信するか、もしくは動態映像データ、例としてmpeg2もしくはmpeg4等のデータは適する処理を経て発した映像データを受信する。その映像データは、ＲＧＢデータもしくはＹＵＶデータとし、その映像データが適する処理を経て発した映像データの方法は、よく知られた技術領域であるため、詳述しない。映像インターフェイス回路１４は、静態映像データもしくは動態映像データによって特定用途向け集積回路（ＡＳＩＣ）１２へ伝送する。
【００１７】
特定用途向け集積回路（ＡＳＩＣ）１２は、映像インターフェイス回路が伝送した静態映像データもしくは動態映像データを受信し、初めに作成した位置対照表と色補正値対応表に基づき、特定用途向け集積回路（ＡＳＩＣ）１２へ焼きいれ、静態映像データもしくは動態映像データを修正する。つまり先ず位置対照表に基づき、静態映像データもしくは動態映像データが修正したデータの位置を探し出し、次に色補正値対応表に基づき修正したいデータを色補正値対応表が作成した数値に転換するか、もしくは修正したいデータに色補正値を加えて修正を完成する。特定用途向け集積回路（ＡＳＩＣ）１２は、正常映像データと修正後の映像データをクロック発振器１８へ出力し、続いて映像データをクロック周波数制御経由で順に出力し、水平駆動回路２０及び垂直駆動回路３０へ出力する。
【００１８】
クロック発振器１８は、特定用途向け集積回路（ＡＳＩＣ）１２が供給した制御信号を受信して一垂直入力クロック信号ＶＳＴ、一垂直シフトクロック信号ＶＣＫ、一水平入力クロック信号ＨＳＴと一水平シフトクロック信号ＨＣＫを発する。
【００１９】
水平駆動回路２０は、水平シフトレジスタ２２を具え、水平シフトレジスタ２２は水平入力クロック信号ＨＳＴと水平シフトクロック信号ＨＣＫを受信し、水平シフトレジスタ２２は水平シフトクロック信号ＨＣＫに基づき、水平入力クロック信号ＨＳＴを遅延し、サンプリングクロック信号を発し、外部装置が伝送した一映像データをサンプリングして用いる。クロック発振器１８は、制御信号に基づき、クロック制御信号を発して水平駆動回路２０へ伝送し、水平駆動回路２０を制御する。
【００２０】
水平駆動回路２０はラッチモジュール２４及びデジタル・アナログコンバータ２６を含む。ラッチモジュール２４は、サンプリングラッチ回路２４０と、ラッチ維持回路２４２を含む。サンプリングラッチ回路２４０は、水平シフトレジスタ２２が発したサンプリングクロック信号に基づき、映像データをサンプリングして複数のサンプリングデータを発する。そのうち映像データは特定用途向け集積回路（ＡＳＩＣ）１２が伝送した映像データとする。ラッチ維持回路２４２はクロック制御信号に基づき、サンプリングラッチ回路２４０のサンプリングデータを保持する。デジタル・アナログコンバータ２６保持したこれらのサンプリングデータをアナログの表示信号に転換し、表示装置の表示パネルにある表示エリア４０のデータライン（図未提示）を伝送して映像を表示する。
【００２１】
ディスプレイの垂直駆動回路３０は、垂直シフトレジスタ３２を具え、垂直シフトレジスタ３２は垂直入力クロック信号ＶＳＴと垂直シフトクロック信号ＶＣＫを受信する。垂直シフトレジスタ３２は第一垂直シフトクロック信号ＶＣＫに基づき、垂直入力クロック信号ＶＳＴを遅延し、選択クロック信号を発し、表示エリア４０の垂直スキャンラインを選択し（図未提示）、表示エリア４０の垂直スキャンライン（図未提示）を制御する。
【００２２】
この他、特定用途向け集積回路（ＡＳＩＣ）１２は、位置対照表と色補正値対応表に基づき、水平駆動回路２０を制御して液晶回転角度を制御し、ディスプレイの輝度均衡の目的、もしくは制御したＣＣＦＬもしくは発光ダイオード（ＬＥＤ）の輝度不均衡を制御して液晶ディスプレイの映像輝度均衡の目的を達する。
【００２３】
上述において、本発明のディスプレイの映像調整方法は、ディスプレイの映像をスキャンして輝度不均衡の位置対照表を作成する。続いてディスプレイの映像の色トーン色度値を測り、閾値に基づいて色補正値対応表を作成する。次に位置対照表と色補正値対応表に基づいて、ディスプレイの映像輝度を調整する。
【図面の簡単な説明】
【００２４】
【図１】本発明の一実施例のフローチャートである。
【図２】本発明の一実施例のブロックダイアグラムである。
【符号の説明】
【００２５】
１０        メモリーユニット
１２        特定用途向け集積回路（ＡＳＩＣ）
１４        映像インターフェイス回路
１８        クロック発振器
２０        水平駆動回路
２２        水平シフトレジスタ
２４        ラッチ(latch)モジュール
２４０      サンプリングラッチ回路
２４２      ラッチ維持回路
２６        デジタル・アナログコンバータ
３０        垂直駆動回路
３２        垂直シフトレジスタ
４０        表示エリア
【図１】
2008139821.tif 000003
【図２】
2008139821.tif 000004